(57)【要約】【課題】消費電力を増加させることなく、利用者の求める機能に応じて短時間で起動する。【解決手段】複数の機能のうち所定の機能を実現するために、この機能毎に制御プログラムを複数記憶する制御プログラム記憶部１６と、機能毎に割り付けられた操作ボタンの押下操作に基づいて、操作信号を生成するパワースイッチ１３、及びリモコン受光部１４と、生成された操作信号に基づいて、制御プログラムＡ〜Ｄのうちいずれかを選択するためのプログラム選択情報を生成するプログラム選択情報生成手段１２ａと、生成されたプログラム選択情報が示す制御プログラムを制御プログラム記憶部１６から読み出し、この制御プログラムに基づいて、コンテンツ記録再生装置１００を起動する制御手段１１ａとを備える。【選択図】図１
2009123072.tif 000002
【特許請求の範囲】
【請求項１】
デジタル電子機器の内部に設けられ、外部により供給される操作信号に基づいて、前記デジタル電子機器を起動させるデジタル電子機器起動装置であって、
前記デジタル電子機器が有する複数の機能のうちの所定の機能を実現するための制御プログラムを、前記機能毎に複数記憶する制御プログラム記憶手段と、
前記機能毎に割り付けられた操作ボタンの押下操作に基づいて、前記機能のうちいずれが選択されたかを示す前記操作信号を生成する操作入力部と、
前記制御プログラム記憶手段に記憶された複数の制御プログラムのうち、前記操作入力部により生成された操作信号が示す機能に対応する前記制御プログラムを選択するためのプログラム選択情報を生成するプログラム選択情報生成手段と、
前記生成されたプログラム選択情報が示す前記制御プログラムを前記制御プログラム記憶手段から読み出し、この制御プログラムに基づいて、前記デジタル電子機器を起動する制御手段と、
を備えたことを特徴とするデジタル電子機器起動装置。
【請求項２】
デジタル電子機器の内部に設けられ、外部より供給される操作信号に基づいて、前記デジタル電子機器を起動させるデジタル電子機器起動装置であって、
前記デジタル電子機器が有する複数の機能のうちの所定の機能を実現するための制御プログラムを、前記機能毎に複数記憶する制御プログラム記憶手段と、
前記制御プログラム記憶手段に記憶された複数の制御プログラムのそれぞれに基づいて実現される機能一覧を表示手段に表示させる表示制御手段と、
リモコン操作に基づいて、前記表示手段に表示された前記機能一覧の中からいずれか１つの機能が選択された場合、この選択された機能を示す前記操作信号を生成する操作入力部と、
前記制御プログラム記憶手段に記憶された複数の制御プログラムのうち、前記操作入力部により生成された操作信号が示す機能に対応する前記制御プログラムを選択するためのプログラム選択情報を生成するプログラム選択情報生成手段と、
前記生成されたプログラム選択情報が示す前記制御プログラムを前記制御プログラム記憶手段から読み出し、この制御プログラムに基づいて、前記デジタル電子機器を起動する制御手段と、
を備えたことを特徴とするデジタル電子機器起動装置。
【発明の詳細な説明】
【技術分野】
【０００１】
本発明は、消費電力を増加させることなく、利用者の求める機能に応じて短時間でデジタル電子機器を起動させることができるデジタル電子機器起動装置に関する。
【背景技術】
【０００２】
近年、デジタル電子機器等が普及してきている。しかしながら、このようなデジタル電子機器は、その機能の多さに起因して、デジタル電子機器を制御するためのソフトウェアである制御プログラムが大きくなり、この制御プログラムをＣＰＵが読み込むのに時間がかかる等により、デジタル電子機器は、実際に機器が動作可能になるまでの起動時間が長くなっていた。また、デジタル電子機器の機能の多さに起因して、機器の操作が複雑化していた。
【０００３】
そこで、特許文献１には、デジタル電子機器の１つであるデジタル放送受信装置において、デジタル放送の復調信号を出力するチューナと、復調信号をデコードして第１の映像信号を外部に出力するデジタル信号プロセッサと、第１の映像信号に合成するための第２の映像信号を生成する汎用プロセッサと、第１の映像信号に第２の映像を合成する映像信号合成回路と、映像信号の出力開始信号の入力を外部から受け付けるユーザインタフェースとを備え、デジタル信号プロセッサ及び汎用プロセッサの夫々は、ユーザインタフェースが開始信号の入力を受け付けたのに応じてブートシーケンスを開始し、デジタル信号プロセッサは、汎用プロセッサのブートシーケンスの完了前に、復調信号のデコードを開始する技術が提案されている。
【０００４】
また、特許文献２には、デジタル電子機器の１つであるハードディスクドライブにおいて、電源投入時にデジタルビデオディスクを再生可能なＤＶＤ再生機の電源を先に投入してデジタルビデオディスクの検出を行ない、その後ＤＶＤ再生機のディスクモータの回転が安定した直後に、ＨＤＤの電源を投入して正常動作の確認を行なうとともに、ＤＶＤ再生機の正常動作の確認を行う技術が提案されている。
【０００５】
さらに、特許文献３には、デジタル電子機器の１つである情報処理装置において、汎用ＯＳを起動させている電源ＯＮ状態からシャットダウンの指示による電源断状態に移行させる際に、インスタントＯＳを使用する設定となっているか否か判定し、インスタントＯＳを使用する設定と判定した場合、インスタントＯＳを起動させて電源ＯＮ状態に自動的に移行させ、その起動後、インスタントＯＳ上でスタンバイ状態に移行させる技術が提案されている。
【０００６】
また、特許文献４には、デジタル電子機器の１つであるテレビジョン放送受信装置において、利用者による操作の履歴から電源投入予測時刻を算出し、この電源投入予測時刻に基づき、デジタル放送受信モジュール用電源を制御することによって、消費電力を常時入電の状態より下げつつ、電源を投入したときにデジタル放送受信モジュールの電源が投入起動され、映像音声が出力されるまでの、あるいはＥＰＧデータを取得するまでに発生する待ち時間を短縮する技術が提案されている。
【特許文献１】特開２００５−２９５３４４号公報
【特許文献２】特開２００４−３４２２６７号公報
【特許文献３】特開２００６−２６０３７２号公報
【特許文献４】特開２００５−１９１８１５号公報
【発明の開示】
【発明が解決しようとする課題】
【０００７】
しかしながら、特許文献１に記載のデジタル放送受信装置では、ユーザインタフェースが開始信号の入力を受け付けたのに応じてブートシーケンスを開始し、デジタル信号プロセッサが、汎用プロセッサのブートシーケンスの完了前に、復調信号のデコードを開始するので、利用者は、汎用プロセッサのブートシーケンスが完了するまで、デジタル放送受信装置を操作することができなかった。
【０００８】
また、特許文献２に記載のハードディスクドライブでは、電源投入時にデジタルビデオディスクを再生可能なＤＶＤ再生機の電源を先に投入してデジタルビデオディスクの検出を行ない、その後ＤＶＤ再生機のディスクモータの回転が安定した直後に、ＨＤＤの電源を投入して正常動作の確認を行なうとともに、ＤＶＤ再生機の正常動作の確認を行うので、制御プログラムが大きくなると、結局、この制御プログラムを読み込むまでに時間がかかり、それに伴い、制御プログラムの起動時間が長くなっていた。
【０００９】
さらに、特許文献３に記載の情報処理装置では、インスタントＯＳを使用する設定と判定した場合、インスタントＯＳを起動させて電源ＯＮ状態に自動的に移行させ、その起動後、インスタントＯＳ上でスタンバイ状態に移行させるので、汎用ＯＳを起動させている電源ＯＮ状態からシャットダウンの指示による電源断状態に移行させる際に、インスタントＯＳを使用する設定が行われていなければならない。しかしながら、記録再生装置においては、電源断状態に移行させる際に、利用者が、次回使用する状態を想定して設定を行うことは困難であった。また、特許文献３に記載の情報処理装置では、スタンバイ状態に移行させるので、その間、利用者は情報処理装置を利用していないにも係らず、無駄に電力を消費してしまう場合があった。
【００１０】
また、特許文献４に記載のテレビジョン放送受信装置では、電源を投入したときにデジタル放送受信モジュールの電源が投入起動されるので、映像音声の出力までの期間は短縮されるものの、結局は、利用者は、制御プログラムの実行が完了するまでデジタル放送受信装置を操作することは困難であった。
【００１１】
本発明は、上記課題に鑑みてなされたものであり、消費電力を増加させることなく、利用者の求める機能に応じて短時間でデジタル電子機器を起動させることができるデジタル電子機器起動装置を提供することを目的とする。
【課題を解決するための手段】
【００１２】
上記目的を達成するため、本発明に係るデジタル電子機器起動装置の第１の特徴は、デジタル電子機器の内部に設けられ、外部により供給される操作信号に基づいて、デジタル電子機器を起動させるデジタル電子機器起動装置であって、デジタル電子機器が有する複数の機能のうちの所定の機能を実現するための制御プログラムを、機能毎に複数記憶する制御プログラム記憶手段と、機能毎に割り付けられた操作ボタンの押下操作に基づいて、機能のうちいずれが選択されたかを示す操作信号を生成する操作入力部と、制御プログラム記憶手段に記憶された複数の制御プログラムのうち、操作入力部により生成された操作信号が示す機能に対応する制御プログラムを選択するためのプログラム選択情報を生成するプログラム選択情報生成手段と、生成されたプログラム選択情報が示す制御プログラムを制御プログラム記憶手段から読み出し、この制御プログラムに基づいて、デジタル電子機器を起動する制御手段とを備えたことにある。
【００１３】
上記目的を達成するため、本発明に係るデジタル電子機器起動装置の第２の特徴は、デジタル電子機器の内部に設けられ、外部より供給される操作信号に基づいて、デジタル電子機器を起動させるデジタル電子機器起動装置であって、デジタル電子機器が有する複数の機能のうちの所定の機能を実現するための制御プログラムを、機能毎に複数記憶する制御プログラム記憶手段と、制御プログラム記憶手段に記憶された複数の制御プログラムのそれぞれに基づいて実現される機能一覧を表示手段に表示させる表示制御手段と、リモコン操作に基づいて、表示手段に表示された機能一覧の中からいずれか１つの機能が選択された場合、この選択された機能を示す操作信号を生成する操作入力部と、制御プログラム記憶手段に記憶された複数の制御プログラムのうち、操作入力部により生成された操作信号が示す機能に対応する制御プログラムを選択するためのプログラム選択情報を生成するプログラム選択情報生成手段と、生成されたプログラム選択情報が示す制御プログラムを制御プログラム記憶手段から読み出し、この制御プログラムに基づいて、デジタル電子機器を起動する制御手段とを備えたことにある。
【発明の効果】
【００１４】
本発明に係るデジタル電子機器起動装置によれば、消費電力を増加させることなく、利用者の求める機能に応じて短時間でデジタル電子機器を起動させることができる。
【発明を実施するための最良の形態】
【００１５】
以下、本発明を実施するための最良の形態について図面を参照して説明する。
【実施例１】
【００１６】
本発明の実施例１のデジタル電子機器起動装置を適用したデジタル電子機器であるコンテンツ記録再生装置を例に挙げて説明する。
【００１７】
＜コンテンツ記録再生装置の構成＞
図１は、本発明の実施例１のデジタル電子機器起動装置を適用したコンテンツ記録再生装置の構成を示した構成図である。
【００１８】
図１に示すように、コンテンツ記録再生装置１００は、デジタル電子機器起動装置１と、デジタルチューナー部２と、ネットワークインタフェース部３と、外部機器インタフェース部４と、光ディスクドライブ５と、ハードディスク６と、表示制御部７と、表示部８とを備えている。
【００１９】
デジタルチューナー部２は、アンテナにより受信した放送波を変換、及び復調してトランスポートストリーム（以下、ＴＳという）として、デジタル電子機器起動装置１へ供給する。
【００２０】
ネットワークインタフェース部３は、ネットワークカードなどの通信インタフェースであり、このネットワークインタフェース部３によりネットワークに接続することによって、このネットワークに接続されたサーバ等と通信することができる。
【００２１】
外部機器インタフェース部４は、例えば、ＵＳＢ（Universal Serial Bus）規格やＩＥＥＥＥ１３９４規格対応のインタフェースであり、この外部機器インタフェース部４により、例えば、デジタルビデオ等の外部機器と接続することができる。
【００２２】
光ディスクドライブ５は、装着された、例えば、ＤＶＤ（Digital Versatile Disc）、ＢＤ（Blu-ray Disc）、ＨＤ−ＤＶＤ等の光ディスクへコンテンツデータを記録し、又、光ディスクに記録されたコンテンツデータを再生する。
【００２３】
ハードディスク６は、コンテンツ記録再生装置１００が動作する上で必要な様々なデータを記憶すると共に、光ディスクドライブ５と同様にコンテンツデータを記録、再生する。また、ハードディスク６は、その機能ブロックとして、記憶領域６ａを備えており、記憶領域６ａには、コンテンツ記録再生装置１００の全機能を実現するための制御プログラムＡが記憶されている。
【００２４】
図２は、ハードディスク６の記憶領域６ａ、及び後述する制御プログラム記憶部１６の記憶領域１６ｂ〜１６ｄに記憶された制御プログラムを説明した図である。
【００２５】
図２に示すように、記憶領域６ａには、制御プログラムＡを記憶している。制御プログラムＡには、オペレーションシステム（以下、ＯＳという）、アプリケーションプログラム、及びグラフィカルインタフェースプログラム（以下、ＧＵＩプログラムという）等が含まれている。また、アプリケーションプログラムには、例えば、「ＥＰＧ（Electric Program Guide）取得プログラム」、「Blu-Ray/HD-DVD Disc記録プログラム」、「Blu-Ray/HD-DVD Disc再生プログラム」、「DVD Disc記録プログラム」、「DVD Disc再生プログラム」等が含まれている。なお、制御プログラム記憶部１６の記憶領域１６ｂ〜１６ｄに関しては後述する。
【００２６】
表示制御部７は、デジタル電子機器起動装置１からの指示に従い、表示部８に映像等を表示させる。
【００２７】
表示部８は、有機ＥＬ（electroluminescence）ディスプレイや、液晶ディスプレイ等の画像出力装置を備え、表示制御部７から供給された出力信号に基づいて、映像を表示する。
【００２８】
デジタル電子機器起動装置１は、プラットフォーム部１１と、起動管理用マイコン１２と、パワースイッチ１３と、リモコン受光部１４と、電源制御部１５と、制御プログラム記憶部１６とを備える。
【００２９】
プラットフォーム部１１は、コンテンツ記録再生装置１００の中枢的な制御を制御手段１１ａを用いて行う。また、記録再生手段１１ｂを備える。
【００３０】
起動管理用マイコン１２は、常時電源が投入されており、コンテンツ記録再生装置１００の起動及び停止を制御する。また、起動管理用マイコン１２は、内部に時計と一時記憶手段（いずれも図示せず）とを備えており、この一時記憶手段に記憶されたＥＰＧ予約時刻情報が示すＥＰＧ情報の取得予定時刻（以下、ＥＰＧ予約時刻という）と、時計が示す現在時刻とが一致するかを監視する。さらに、起動管理用マイコン１２は、後述するプログラム選択情報生成手段１２ａを備える。
【００３１】
パワースイッチ１３は、例えば、コンテンツ記録再生装置１００の筐体に配置された複数のボタンを備えており、利用者の押下操作により、操作信号を起動管理用マイコン１２へ供給する。
【００３２】
リモコン受光部１４は、リモートコントローラ（以下、リモコンという）より受信した操作信号を起動管理用マイコン１２へ供給する。
【００３３】
図３は、本発明の実施例１のデジタル電子機器起動装置１を適用したコンテンツ記録再生装置１００の外観を示した図である。
【００３４】
図３に示すように、コンテンツ記録再生装置１００には、このコンテンツ記録再生装置１００専用のリモコン１０１が付属されている。そして、このリモコン１０１に備えられた複数のボタンのうちいずれか１つを、利用者が押下操作することにより、リモコン１０１は、押下操作されたことを示す操作信号を例えば赤外線光などに光変換して信号光を出射する。そして、リモコン受光部１４は、リモコン１０１から出射された信号光を受光することによって、操作信号を受信し、コンテンツ記録再生装置１００は、リモコン受光部１４が受信した操作信号に基づいて、動作する。
【００３５】
本実施例では、このリモコン１０１に備えられたボタンのうち少なくとも３つに、それぞれ「全機能の起動」、「光ディスク再生機能のみ起動」、及び「カスタマイズプログラムの起動」の３種類の機能を割り付ける。そして、利用者がこれらのボタンのうち１つを押下操作すると、この押下操作したボタンに割り付けられた機能を示すコードが操作信号に変換され、さらに信号光に変換されてリモコン１０１から出射される。
【００３６】
また、図３に示すように、コンテンツ記録再生装置１００は、パワースイッチ１３ａ〜１３ｃを備えており、これらパワースイッチ１３ａ〜１３ｃに、それぞれ「全機能の起動」、「光ディスク再生機能のみ起動」、及び「ダウンロードプログラムによる起動」の３種類の機能を割り付ける。そして、利用者が、パワースイッチ１３ａ〜１３ｃのうち１つを押下操作すると、この押下操作されたパワースイッチに対応する操作信号が起動用マイコン１２に供給される。
【００３７】
電源制御部１５は、起動管理用マイコン１２の指示に従い、コンテンツ記録再生装置１００の電源を制御する。
【００３８】
制御プログラム記憶部１６は、不揮発性の半導体メモリ等で構成する。そしてこの制御プログラム記憶部１６を、例えば４つの記憶領域１６ａ〜１６ｄに分割する。
【００３９】
そして、記憶領域１６ａには、ハードディスク６の記憶領域６ａに記憶された制御プログラムＡを起動させるための制御プログラムであるブートローダを記憶している。
【００４０】
また、図２に示すように、記憶領域１６ｂには、制御プログラムＢを記憶している。そしてこの制御プログラムＢには、ＥＰＧ情報を取得するために最低限必要な機能を実現するためのＯＳとして最適化された「ＥＰＧ取得専用カスタマイズＯＳ」と、「ＥＰＧ取得プログラム」を含んだアプリケーションプログラムとが含まれている。
【００４１】
そして、記憶領域１６ｃには、制御プログラムＣを記憶している。そして、この制御プログラムＣには、ＢＤ（Blu-ray Disc）を再生するために最低限必要な機能を実現するためのＯＳとして最適化された「ＢＤ再生専用カスタマイズＯＳ」と、「Blu-Ray/HD-DVD Disc再生プログラム」を含んだアプリケーションプログラムと、ＢＤを再生するために最低限必要なＧＵＩを実現するためのＧＵＩプログラムとして最適化された「ＢＤ再生専用カスタマイズＧＵＩプログラム」とが含まれている。
【００４２】
さらに、記憶領域１６ｄには、制御プログラムＤを記憶している。そして、この制御プログラムＤには、一般的な「ＯＳ」と、「Blu-Ray/HD-DVD Disc記録プログラム」、及び「Blu-Ray/HD-DVD Disc再生プログラム」を含んだアプリケーションプログラムと、ＢＤを記録及び再生するために最低限必要なＧＵＩを実現するためのＧＵＩプログラムとして最適化された「光ディスク記録・再生専用カスタマイズＧＵＩプログラム」とが含まれている。
【００４３】
なお、この制御プログラムＤに含まれるアプリケーションプログラムと、「光ディスク記録・再生専用カスタマイズＧＵＩプログラム」とは、利用者の操作によりカスタマイズされたプログラムである。カスタマイズは、具体的には、コンテンツ記録再生装置１００稼働時に、利用者によるリモコン１０１の操作に基づいて、プラットフォーム部１１が、ネットワークインタフェース部３を介してネットワークに接続されたサーバ等から上記アプリケーションプログラム及び「光ディスク記録・再生専用カスタマイズＧＵＩプログラム」等のプログラムをダウンロードし、このプログラムを制御プログラム記憶部１６の記憶領域１６ｄに記憶する。また、コンテンツ記録再生装置１００稼働時に、利用者によるリモコン１０１の操作に基づいて、プラットフォーム部１１が、外部機器インタフェース部４を介して外部機器から上記アプリケーションプログラム及び「光ディスク記録・再生専用カスタマイズＧＵＩプログラム」等のプログラムをダウンロードし、このプログラムを制御プログラム記憶部１６の記憶領域１６ｄに記憶するようにしてもよい。このように、制御プログラム記憶部１６の記憶領域１６ｄには、利用者の操作により、利用者所望の様々なアプリケーションプログラムやＧＵＩプログラム等を記憶する。
【００４４】
また、制御プログラム記憶部１６の記憶領域１６ｂ，１６ｃに記憶された制御プログラムＢ、Ｃには、それぞれ「ＥＰＧ取得専用カスタマイズＯＳ」、及び「ＢＤ再生専用カスタマイズＯＳ」が含まれているが、デジタル電子機器起動装置１が、これらのＯＳを実行することなく、それぞれのアプリケーションプログラムを実行することが可能であれば、制御プログラムＢ，Ｃに、これらのＯＳを含めないようにしてもよい。
【００４５】
起動管理用マイコン１２のプログラム選択情報生成手段１２ａは、パワースイッチ１３ａ〜１３ｃからの操作信号、又はリモコン１０１から送信され、リモコン受光部１４が受信した操作信号に基づいて、制御プログラムＡ〜Ｄのうちいずれかを選択するプログラム選択情報を生成する。
【００４６】
プラットフォーム部１１の制御手段１１ａは、ＣＰＵ等で構成されており、プログラム選択情報生成手段１２ａにより生成されたプログラム選択情報に基づいて、制御プログラムＡを起動させるためのプログラムであるブートローダ、又は制御プログラムＢ〜Ｄを制御プログラム記憶部１６から読み出し、このブートローダ、又は制御プログラムＢ〜Ｄを実行することで、コンテンツ記録再生装置１００を起動し、それぞれの制御プログラムＡ〜Ｄが有する機能を実現する。
【００４７】
プラットフォーム部１１の記録再生手段１１ｂは、光ディスクドライブ５に装着された光ディスクやハードディスク６に記録されたコンテンツデータを再生すると共に、コンテンツデータを光ディスクドライブ５に装着された光ディスクやハードディスク６に記録する。
【００４８】
＜コンテンツ記録再生装置１００の作用＞
次に、本発明の実施例１のデジタル電子機器起動装置１を適用したコンテンツ記録再生装置１００の作用について説明する。
【００４９】
図４は、本発明の実施例１のデジタル電子機器起動装置１を適用したコンテンツ記録再生装置１００の処理手順を示したフローチャートである。
【００５０】
デジタル電子機器起動装置１の起動管理用マイコン１２は、内蔵された時計が示す現在時刻と、内蔵された一時記憶手段に記憶されたＥＧＰ予約時刻情報が示すＥＰＧ予約時刻とが一致するか否かを判定する（ステップＳ１０１）。
【００５１】
ステップＳ１０１において、現在時刻とＥＰＧ予約時刻とが一致すると判定した場合、起動管理用マイコン１２のプログラム選択情報生成手段１２ａは、ＥＰＧ情報を取得するための制御プログラムＢを示すプログラム選択情報を生成し、このプログラム選択情報をプラットフォーム部１１へ供給する（ステップＳ１０２）。
【００５２】
次に、プラットフォーム部１１の制御手段１１ａは、供給されたプログラム選択情報が制御プログラムＢを示す場合（ステップＳ１０３）、制御プログラム記憶部１６の記憶領域１６ｂから制御プログラムＢを読み出す（ステップＳ１０４）。
【００５３】
そして、制御手段１１ａは、ステップＳ１０４において読み出した制御プログラムＢを実行することによって、コンテンツ記録再生装置１００を起動する（ステップＳ１０５）。具体的には、制御手段１１ａは、制御プログラム記憶部１６の記憶領域１６ｂに記憶されている「ＥＰＧ取得専用カスタマイズＯＳ」を読み出し、この読み出した「ＥＰＧ取得専用カスタマイズＯＳ」を実行する。さらに、制御手段１１ａは、「ＥＰＧ取得プログラム」を含んだアプリケーションプログラムを読み出し、この読み出したアプリケーションプログラムを実行する。
【００５４】
一方、ステップＳ１０１において、現在時刻とＥＰＧ予約時刻とが一致しないと判定した場合、起動管理用マイコン１２のプログラム選択情報生成手段１２ａは、パワースイッチ１３、又はリモコン受光部１４から操作信号が供給されたか否かを判定する（ステップＳ１０６）。
【００５５】
ステップＳ１０６において、操作信号が供給されたと判定した場合、プログラム選択情報生成手段１２ａは、供給された操作信号に基づいて、ブートローダ、及び制御プログラムＢ〜Ｄのうちいずれかを示すプログラム選択情報を生成し、生成したプログラム選択情報をプラットフォーム部１１へ供給する（ステップＳ１０９）。
【００５６】
次に、プラットフォーム部１１の制御手段１１ａは、供給されたプログラム選択情報がブートローダを示す場合（ステップＳ１１０）、制御プログラム記憶部１６の記憶領域１６ａからブートローダを読み出す（ステップＳ１１１）。
【００５７】
そして、制御手段１１ａは、ステップＳ１１１において読み出したブートローダを実行することによって、ハードディスク６の記憶領域６ａに記憶された制御プログラムＡを読み出し、この読み出した制御プログラムＡを実行する。これによりコンテンツ記録再生装置１００を起動する（ステップＳ１０５）。具体的には、制御手段１１ａは、制御プログラムＡに含まれる「ＯＳ」を読み出し、この読み出した「ＯＳ」を実行する。さらに、制御手段１１ａは、「ＥＰＧ取得プログラム」、「Blu-Ray/HD-DVD Disc記録プログラム」、「Blu-Ray/HD-DVD Disc再生プログラム」、「DVD Disc記録プログラム」、及び「DVD Disc再生プログラム」を含むアプリケーションプログラムと、ＧＵＩプログラムとを読み出し、読み出したこれらのプログラムを実行する。
【００５８】
次に、プラットフォーム部１１の制御手段１１ａは、供給されたプログラム選択情報が制御プログラムＣを示している場合（ステップＳ１１３）、制御プログラム記憶部１６の記憶領域１６ｃから制御プログラムＣを読み出す（ステップＳ１１４）。
【００５９】
そして、制御手段１１ａは、ステップＳ１１４において読み出した制御プログラムＣを実行することによって、コンテンツ記録再生装置１００を起動する（ステップＳ１１５）。具体的には、制御手段１１ａは、制御プログラムＣに含まれる「光ディスク再生専用カスタマイズＯＳ」を読み出し、この読み出した「光ディスク再生専用カスタマイズＯＳ」を実行する。さらに、制御手段１１ａは、「Blu-Ray/HD-DVD Disc再生プログラム」を含んだアプリケーションプログラムと、ＧＵＩプログラムとを読み出し、読み出したこれらのプログラムを実行する。
【００６０】
次に、プラットフォーム部１１の制御手段１１ａは、供給されたプログラム選択情報が制御プログラムＤを示してる場合（ステップＳ１１６）、制御プログラム記憶部１６の記憶領域１６ｄから制御プログラムＤを読み出す（ステップＳ１１７）。
【００６１】
そして、制御手段１１ａは、ステップＳ１１７において読み出した制御プログラムを実行することによって、コンテンツ記録再生装置１００を起動する（ステップＳ１１８）。具体的には、制御手段１１ａは、制御プログラムＤに含まれる「ＯＳ」を読み出し、この読み出した「ＯＳ」を実行する。さらに、制御手段１１ａは、「Blu-Ray/HD-DVD Disc記録プログラム」及び「Blu-Ray/HD-DVD Disc再生プログラム」を含んだアプリケーションプログラムと、カスタマイズされたＧＵＩプログラムとを読み出し、読み出したこれらのプログラムを実行する。
【００６２】
以上のように、本発明の実施例１のデジタル電子機器起動装置１によれば、利用者の求める機能に応じて、その機能の実現に特化した専用の制御プログラムを実行するので、無駄に消費電力を増加させることなく、かつ短時間でコンテンツ記録再生装置１００を起動させ、利用者の求める機能を実現させることができる。
【００６３】
また、利用者の求める機能に特化した専用のＧＵＩプログラムを実行することにより、必要な項目のみの画面表示とすることができ、これにより利用者は画面上で必要な項目を認識し易くなるので、余計な（必要のない）項目に惑わされることなく、所望の操作を実行することができる。
【実施例２】
【００６４】
本発明の実施例１では、利用者の操作により供給された操作信号に基づいて、コンテンツ記録再生装置１００を起動させるデジタル電子機器起動装置１について説明した。
【００６５】
本発明の実施例２では、表示部に表示した機能の一覧の中から利用者の操作によりいずれか１つが選択されたことを示す操作信号に基づいて、コンテンツ記録再生装置を起動させるデジタル電子機器起動装置について説明する。
【００６６】
＜コンテンツ記録再生装置の構成＞
図５は、本発明の実施例２のデジタル電子機器起動装置を適用したコンテンツ記録再生装置の構成を示した構成図である。
【００６７】
図５に示すように、コンテンツ記録再生装置２００は、デジタル電子機器起動装置１０と、デジタルチューナー部２と、ネットワークインタフェース部３と、外部機器インタフェース部４と、光ディスクドライブ５と、ハードディスク６と、表示部８とを備えている。これらの構成については、本発明の実施例１の光ディスク１００が備えるそれぞれの構成と同一であるので、説明を省略する。
【００６８】
デジタル電子機器起動装置１０は、プラットフォーム部１１と、表示制御部７Ａと、起動管理用マイコン１２と、パワースイッチ１３と、リモコン受光部１４と、電源制御部１５と、制御プログラム記憶部１６とを備える。
【００６９】
プラットフォーム部１１、電源制御部１５、及び制御プログラム記憶部１６は、本発明の実施例１の光ディスク１００が備える同一符号で示したそれぞれの構成と同一であるので、説明を省略する。
【００７０】
起動管理用マイコン１２は、常時電源が投入されており、コンテンツ記録再生装置２００の起動及び停止を制御する。また、起動管理用マイコン１２は、内部に時計と一時記憶手段（いずれも図示せず）とを備えており、この一時記憶手段に記憶されたＥＰＧ予約時刻情報が示すＥＰＧ情報の取得予定時刻（以下、ＥＰＧ予約時刻という）と、時計が示す現在時刻とが一致するかを監視する。さらに、起動管理用マイコン１２は、後述するプログラム選択情報生成手段１２ａを備える。
【００７１】
リモコン受光部１４は、リモコンより受信した操作信号を起動管理用マイコン１２へ供給する。
【００７２】
本発明の実施例１のコンテンツ記録再生装置１００と同様に、コンテンツ記録再生装置２００には、このコンテンツ記録再生装置２００専用のリモコン１０１が付属されており、このリモコン１０１には、複数のボタンが備えられている。利用者がこのボタンを押下操作すると、リモコン１０１は、押下操作されたことを示す操作信号を例えば赤外線光などに光変換して信号光を出射する。そして、リモコン受光部１４は、リモコン１０１から出射された信号光を受光することによって、操作信号を受信し、コンテンツ記録再生装置１００は、リモコン受光部１４が受信した操作信号に基づいて、動作する。
【００７３】
また、このリモコンに備えられたボタンのうちの１つに、表示部８に機能一覧、及びこの機能一覧からいずれか１つを選択するためのカーソルの表示を要求する操作信号を割り付ける。そして、利用者がこのボタンを押下操作すると、機能一覧、及びカーソルの表示を要求するコードが操作信号に変換され、さらに信号光に変換されてリモコン１０１から出射される。
【００７４】
このリモコン１０１には、表示部８に表示されたカーソルを画面上で動作させるための上下ボタンを備えている。そして、利用者がこの上下ボタンを押下操作すると、カーソルの移動を要求するコードが操作信号に変換され、さらに信号光に変換されてリモコン１０１から出射される。
【００７５】
さらに、このリモコン１０１には、表示部８に表示された機能一覧からカーソルが示す機能を決定するためのボタンが備えられており、利用者がこのボタンを押下操作すると、決定を示すコードが操作信号に変換され、さらに信号光に変換されてリモコン１０１から出射される。
【００７６】
表示制御部７Ａは、切替手段７ａと、ＯＳＤ（On Screen Display）手段７ｂとを備える。また、この表示制御部７Ａは、起動用マイコン１２と同様に、常時電源が通電されているものとする。
【００７７】
ＯＳＤ手段７ｂは、起動管理用マイコン１２から供給された操作信号に基づいて、例えば、機能一覧の表示画面データ等のＯＳＤ信号を生成し、切替手段７ａに供給する。
【００７８】
切替手段７ａは、プラットフォーム部１１から供給される映像信号と、ＯＳＤ手段７ｂから供給されるＯＳＤ信号とを切り替えて、表示部８に画面を表示させる。なお、映像信号とＯＳＤ信号とは、切り替えるのではく、重畳させてもよい。
【００７９】
起動管理用マイコン１２のプログラム選択情報生成手段１２ａは、リモコン１０１から送信され、リモコン受光部１４が受信した操作信号に基づいて、制御プログラムＡ〜Ｄのうちいずれかを選択するプログラム選択情報を生成する。
【００８０】
＜コンテンツ記録再生装置２００の作用＞
次に、本発明の実施例２のデジタル電子機器起動装置を適用したコンテンツ記録再生装置２００の作用について説明する。
【００８１】
図６は、本発明の実施例２のデジタル電子機器起動装置１０を適用したコンテンツ記録再生装置２００の処理手順を示したフローチャートである。
【００８２】
デジタル電子機器起動装置１０の起動管理用マイコン１２は、内蔵された時計が示す現在時刻と、内蔵された一時記憶手段に記憶されたＥＧＰ予約時刻情報が示すＥＰＧ予約時刻とが一致するか否かを判定する（ステップＳ２０１）。
【００８３】
ステップＳ２０１において、現在時刻とＥＰＧ予約時刻とが一致すると判定した場合、起動管理用マイコン１２のプログラム選択情報生成手段１２ａは、ＥＰＧ情報を取得するための制御プログラムＢを示すプログラム選択情報を生成し、このプログラム選択情報をプラットフォーム部１１へ供給する（ステップＳ２０２）。
【００８４】
次に、プラットフォーム部１１の制御手段１１ａは、供給されたプログラム選択情報が制御プログラムＢを示す場合（ステップＳ２０３）、制御プログラム記憶部１６の記憶領域１６ｂから制御プログラムＢを読み出す（ステップＳ２０４）。
【００８５】
そして、制御手段１１ａは、ステップＳ２０４において読み出した制御プログラムＢを実行することによって、コンテンツ記録再生装置２００を起動する（ステップＳ２０５）。具体的には、制御手段１１ａは、制御プログラム記憶部１６の記憶領域１６ｂに記憶されている「ＥＰＧ取得専用カスタマイズＯＳ」を読み出し、この読み出した「ＥＰＧ取得専用カスタマイズＯＳ」を実行する。さらに、制御手段１１ａは、「ＥＰＧ取得プログラム」を含んだアプリケーションプログラムを読み出し、この読み出したアプリケーションプログラムを実行する。
【００８６】
一方、ステップＳ２０１において、現在時刻とＥＰＧ予約時刻とが一致しないと判定した場合、起動管理用マイコン１２のプログラム選択情報生成手段１２ａは、リモコン受光部１４から機能一覧の表示を要求する操作信号が供給されたか否かを判定する（ステップＳ２０６）。
【００８７】
ステップＳ２０６において、機能一覧の表示を要求する操作信号が供給されたと判定した場合、起動管理用マイコン１２は、供給された機能一覧の表示を要求する操作信号を表示制御部７ＡのＯＳＤ手段７ｂへ供給する。
【００８８】
そして、機能一覧の表示を要求する操作信号が供給された表示制御部７Ａは、表示部８に機能一覧を表示させる（ステップＳ２０７）。
【００８９】
具体的には、表示制御部７ＡのＯＳＤ手段７ｂは、供給された操作信号に基づいて、画面上に機能一覧の表示させるためのＯＳＤ信号を切替手段７ａに供給し、切替手段７ａは、このＯＳＤ信号を表示部８に供給する。これにより表示部８は、画面上に機能一覧を表示する。
【００９０】
図７は、表示部８が表示する機能一覧の表示画面の一例を示した図である。
【００９１】
図７に示すように、表示部８は機能一覧として、「全機能による起動」（符号３０１）、「光ディスク再生機能のみ起動」（符号３０２）、「カスタマイズプログラムの起動」（符号３０３）、及び「ＥＸＩＴ」（符号３０４）が、表示されている。
【００９２】
起動管理用マイコン１２のプログラム選択情報生成手段１２ａは、この機能一覧からいずれが選択されたかを判定する（ステップＳ２０８）。
【００９３】
具体的には、利用者は、表示部８に表示された表示画面を見ながら、カーソル３０５が所望の機能を示す文字列表示の左に位置するように、リモコン１０１の上下ボタンを操作すると、カーソル３０５を上方向、又は下方向に移動させるためのコードが操作信号に変換され、さらに信号光に変換されてリモコン１０１から出射される。
【００９４】
そして、リモコン受光部１４は、リモコン１０１から出射された信号光を受光することによって、上下いずれかを示す操作信号を受信し、この操作信号を起動用マイコン１２へ供給する。
【００９５】
起動管理用マイコン１２は、表示部８に表示された機能一覧のうちカーソル３０５がどの機能を示しているか、即ちカーソル３０５の位置を監視しており、供給された操作信号に基づいて、カーソル３０５の移動先位置を算出し、算出した移動先位置にカーソル３０５が移動して表示されるようにＯＳＤ手段７ｂを制御する。
【００９６】
次に、利用者がリモコン１０１の決定を示すボタンを操作すると、操作されたボタンに割り付けた決定を示すコードが操作信号に変換され、さらに信号光に変換されてリモコン１０１から出射される。
【００９７】
そして、リモコン受光部１４は、リモコン１０１から出射された信号光を受光することによって、決定を示す操作信号を受信する。
【００９８】
次に、起動管理用マイコン１２のプログラム選択情報生成手段１２ａは、リモコン受光部１４から決定を示す操作信号が供給されると、カーソル３０５の位置情報に基づいて一意に決定される、ブートローダ、又は制御プログラムＢ〜Ｄのうちいずれかを示すプログラム選択情報を生成し、生成したプログラム選択情報をプラットフォーム部１１へ供給する（ステップＳ２０９）。
【００９９】
ここで、カーソル３０５の位置が、図７に示した「全機能による起動」を示している場合、プログラム選択情報生成手段１２ａは、ブートローダを示すプログラム選択情報を生成し、カーソル３０５の位置が、図７に示した「光ディスク再生機能のみ起動」を示している場合、プログラム選択情報生成手段１２ａは、制御プログラムＣを示すプログラム選択情報を生成し、カーソル３０５の位置が、図７に示した「カスタマイズプログラムの起動」を示している場合、プログラム選択情報生成手段１２ａは、制御プログラムＤを示すプログラム選択情報を生成する。
【０１００】
次に、プラットフォーム部１１の制御手段１１ａは、供給されたプログラム選択情報がブートローダを示す場合（ステップＳ２１０）、制御プログラム記憶部１６の記憶領域１６ａからブートローダを読み出す（ステップＳ２１１）。
【０１０１】
そして、制御手段１１ａは、ステップＳ２１１において読み出したブートローダを実行することによって、ハードディスク６の記憶領域６ａに記憶された制御プログラムＡを読み出し、この読み出した制御プログラムＡを実行する。これによりコンテンツ記録再生装置１００を起動する（ステップＳ２１２）。具体的には、制御手段１１ａは、制御プログラムＡに含まれる「ＯＳ」を読み出し、この読み出した「ＯＳ」を実行する。さらに、制御手段１１ａは、「ＥＰＧ取得プログラム」、「Blu-Ray/HD-DVD Disc記録プログラム」、「Blu-Ray/HD-DVD Disc再生プログラム」、「DVD Disc記録プログラム」、及び「DVD Disc再生プログラム」を含むアプリケーションプログラムと、ＧＵＩプログラムとを読み出し、読み出したこれらのプログラムを実行する。
【０１０２】
次に、プラットフォーム部１１の制御手段１１ａは、供給されたプログラム選択情報が制御プログラムＣを示している場合（ステップＳ２１３）、制御プログラム記憶部１６の記憶領域１６ｃから制御プログラムＣを読み出す（ステップＳ２１４）。
【０１０３】
そして、制御手段１１ａは、ステップＳ１１４において読み出した制御プログラムＣを実行することによって、コンテンツ記録再生装置１００を起動する（ステップＳ２１５）。具体的には、制御手段１１ａは、制御プログラムＣに含まれる「光ディスク再生専用カスタマイズＯＳ」を読み出し、この読み出した「光ディスク再生専用カスタマイズＯＳ」を実行する。さらに、制御手段１１ａは、「Blu-Ray/HD-DVD Disc再生プログラム」を含んだアプリケーションプログラムと、ＧＵＩプログラムとを読み出し、読み出したこれらのプログラムを実行する。
【０１０４】
次に、プラットフォーム部１１の制御手段１１ａは、供給されたプログラム選択情報が制御プログラムＤを示してる場合（ステップＳ２１６）、制御プログラム記憶部１６の記憶領域１６ｄから制御プログラムＤを読み出す（ステップＳ２１７）。
【０１０５】
そして、制御手段１１ａは、ステップＳ１１７において読み出した制御プログラムを実行することによって、コンテンツ記録再生装置１００を起動する（ステップＳ２１８）。具体的には、制御手段１１ａは、制御プログラムＤに含まれる「ＯＳ」を読み出し、この読み出した「ＯＳ」を実行する。さらに、制御手段１１ａは、「Blu-Ray/HD-DVD Disc記録プログラム」及び「Blu-Ray/HD-DVD Disc再生プログラム」を含んだアプリケーションプログラムと、カスタマイズされたＧＵＩプログラムとを読み出し、読み出したこれらのプログラムを実行する。
【０１０６】
以上のように、本発明の実施例２のデジタル電子機器起動装置１０によれば、利用者の求める機能に応じて、その機能の実現に特化した専用の制御プログラムを実行するので、無駄に消費電力を増加させることなく、かつ短時間でコンテンツ記録再生装置１００を起動させ、利用者の求める機能を実現させることができる。
【０１０７】
また、利用者の求める機能に特化した専用のＧＵＩプログラムを実行することにより、必要な項目のみの画面を表示とすることができ、これにより利用者は画面上で必要な項目を認識し易くなるので、余計な（必要のない）項目に惑わされることなく、所望の操作を実行することができる。
【０１０８】
さらに、本発明の実施例２のデジタル電子機器起動装置１０によれば、表示部８の画面上に機能一覧を表示するので、機能一覧表示プログラムを変更することにより、比較的容易に機能一覧に表示する機能の数を増減させることができる。例えば、予め、制御プログラム記憶部１６に診断プログラムを記憶し、機能一覧に「カスタマイズプログラムに起動２」を追加するように機能一覧表示プログラムを変更し、利用者の操作により「カスタマイズプログラムに起動２」が選択されると、診断プログラムを実行するようにしてもよい。
【図面の簡単な説明】
【０１０９】
【図１】本発明の実施例１のデジタル電子機器起動装置を適用したコンテンツ記録再生装置１００の構成を示した構成図である。
【図２】制御プログラム記憶部１６のハードディスク６及び制御プログラム記憶部１６に記憶された制御プログラムを説明した図である。
【図３】本発明の実施例１のデジタル電子機器起動装置１を適用したコンテンツ記録再生装置１００の外観を示した図である。
【図４】本発明の実施例１のデジタル電子機器起動装置１を適用したコンテンツ記録再生装置１００の処理手順を示したフローチャートである。
【図５】本発明の実施例２のデジタル電子機器起動装置１０を適用したコンテンツ記録再生装置２００の構成を示した構成図である。
【図６】本発明の実施例２のデジタル電子機器起動装置１０を適用したコンテンツ記録再生装置２００の処理手順を示したフローチャートである。
【図７】本発明の実施例２のデジタル電子機器起動装置１０の表示部８が表示する機能一覧の表示画面の一例を示した図である。
【符号の説明】
【０１１０】
１，１０…デジタル電子機器起動装置
２…デジタルチューナー部
３…ネットワークインタフェース部
４…外部機器インタフェース部
５…光ディスクドライブ
６…ハードディスク
７，７Ａ…表示制御部（表示制御手段）
７ａ…切替手段
７ｂ…ＯＳＤ手段
８…表示部
１１…プラットフォーム部
１１ａ…制御手段
１１ｂ…記録再生手段
１２…起動管理用マイコン
１２ａ…プログラム選択情報生成手段
１３ａ〜１３ｃ…パワースイッチ（操作入力部）
１４…リモコン受光部（操作入力部）
１５…電源制御部
１６…制御プログラム記憶部
１００，２００…コンテンツ記録再生装置
【図１】
2009123072.tif 000003
【図２】
2009123072.tif 000004
【図３】
2009123072.tif 000005
【図４】
2009123072.tif 000006
【図５】
2009123072.tif 000007
【図６】
2009123072.tif 000008
【図７】
2009123072.tif 000009